(57)【特許請求の範囲】
【請求項１】
下面にローラーを備える荷台部およびこの荷台部から立ち上がるフレームからなるカート本体と、上記荷台部に載置される収納袋とを備えるショッピングカートであって、この収納袋がバッグ部分とリュックサック部分の２部品で構成されているとともに、上記収納袋は、バッグ部分を下側に、リュックサック部分をその上側に載せた状態で上記荷台部に載置され、これら両部分がそれぞれ係止具を利用して上記フレームに固定されていることを特徴とするショッピングカート。
【請求項２】
上記バッグ部分とリュックサック部分の少なくとも一方が、断熱材を内蔵した生地を用いて作製され、保冷機能を有している請求項１記載のショッピングカート。
【発明の詳細な説明】
【０００１】
【発明の属する技術分野】
本発明は、ショッピングカートに関するものである。
【０００２】
【従来の技術】
従来から、スーパーマーケット等の買物用として、図１１に示すようなショッピングカートがよく利用されている。このショッピングカートは、カート本体４１の荷台部４２に、手提げ用バンド４３ａを有するバッグ４３を載置，固定したものである。図において、４４はカート本体４１のフレームで、４５はスタンドで、４６は左右一対のローラー（左側のローラーは隠れて見えない）である。また、ショッピングカートの使い勝手を良くするために、種々の工夫を施したものがある。例えば、特開平３−１２４５０１号公報には、旅行用大型鞄等を運搬することができ、かつ、ショッピングカートやリュックサックにも利用することができる携帯式鞄等用運搬装置が提案されている。
【０００３】
【発明が解決しようとする課題】
しかしながら、図１１に示すショッピングカートでは、スーパーマーケット等で買った品物を１つのバッグ４３に収納しているため、カート本体４１の荷台部４２からバッグ４３を降ろして運搬等するときに、重くて持ちづらい。しかも、スーパーマーケット等で買った品物を区別して（例えば、、家内で使用するために買った品物と野外で使用するために買った品物とに区別して）収納したい場合には、買った品物をバッグ４３から一旦取り出して区別する必要があり、不便である。また、特開平３−１２４５０１号公報に示す携帯式鞄等用運搬装置において、これをショッピングカートやリュックサックとして利用した場合にも、上記と同様の問題がある。
【０００４】
本発明は、このような事情に鑑みなされたもので、荷台部から収納袋を降ろして運搬等する際に軽くて持ちやすく、しかも、買った品物を区別して収納することのできるショッピングカートの提供をその目的とする。
【０００５】
【課題を解決するための手段】
上記の目的を達成するため、本発明のショッピングカートは、下面にローラーを備える荷台部およびこの荷台部から立ち上がるフレームからなるカート本体と、上記荷台部に載置される収納袋とを備えるショッピングカートであって、この収納袋がバッグ部分とリュックサック部分の２部品で構成されているとともに、上記収納袋は、バッグ部分を下側に、リュックサック部分をその上側に載せた状態で上記荷台部に載置され、これら両部分がそれぞれ係止具を利用して上記フレームに固定されているという構成をとる。
【０００６】
すなわち、本発明のショッピングカートは、荷台部に載置される収納袋がバッグ部分とリュックサック部分とで構成されているため、スーパーマーケット等で買った品物をバッグ部分とリュックサック部分に分けて収納することができる。したがって、荷台部からバッグ部分とリュックサック部分を降ろして運搬等するときに、リュックサック部分を肩に背負って運搬等し、バッグ部分を手等に提げて運搬等することにより、軽くて持ちやすくなる。しかも、スーパーマーケット等で買った品物を区別して収納したい場合には、買った品物をバッグ部分とリュックサック部分に区別して収納することができるため、買った品物を一旦取り出して区別する必要がなく、便利である。なお、本発明で、「バッグ」とは、手に提げるものだけでなく、肩に掛けたり、腰に吊るしたりするものをも指す。
【０００７】
また、本発明のショッピングカートは、上記収納袋が、バッグ部分を下側に、リュックサック部分をその上側に載せた状態で上記荷台部上に載置され、両部分をそれぞれ係止具を利用してフレームに固定されているため、この収納袋をショッピングカートのフレームにしっかりと載置，固定することができる。
【０００８】
さらに、本発明おいて、バッグ部分とリュックサック部分の少なくとも一方が、断熱材を内蔵した生地を用いて作製され、保冷機能を有している場合には、上記保冷機能を有している部分に冷凍食品等を収納することにより、冷凍食品等を長時間保冷することができる。
【０００９】
【発明の実施の形態】
つぎに、本発明の実施の形態を図面にもとづいて詳しく説明する。
【００１０】
図１は本発明のショッピングカートの一実施の形態を示している。図において、１はカート本体であり、このカート本体１の荷台部１３にバッグ部分２が載置されており、このバッグ部分２の上側にリュックサック部分３が載置されている（図２参照）。そして、これらバッグ部分２とリュックサック部分３とで収納袋４が構成されている。
【００１１】
上記カート本体１は折り畳み式であり、図３に示すように、Ｕ字状の上下両フレーム１１，１２と荷台部１３と左右一対のローラー１４とを備えている。上記上下両フレーム１１，１２は、下側フレーム１１のＵ字状の両縦片１１ａの上端部と上側フレーム１２のＵ字状の両縦片１２ａの下端部がそれぞれ連結ピン１５により上下方向に回動自在に取り付けられている。また、上記上側フレーム１２には、そのＵ字状の両縦片１２ａの中間部分に中間バー１６が架設されているとともに、この中間バー１６の下側部分に止め金１７が上下方向に回動自在に取り付けられている。なお、図３に示す組み立て状態では、止め金１７は下側フレーム１１のＵ字状の横片１１ｂに係合しており、これにより、上側フレーム１２の回動は阻止されている。図において、２３は上側フレーム１２のＵ字状の横片１１ｂに取り付けられたハンドルである。
【００１２】
上記荷台部１３は、下側フレーム１１のＵ字状の両縦片１１ａの下端部に回転自在に架設された回転軸１８と、この回転軸１８に固定されたＵ字状支受枠体１９と、このＵ字状支受枠体１９のＵ字状の両縦片１９ａに上下方向に回動自在に取り付けられたＵ字状のスタンド２０とを備えている。また、上記Ｕ字状支受枠体１９に上記回転軸１８と平行に横バー２１が架設されており、この横バー２１とＵ字状支受枠体１９のＵ字状の横片１９ｂとに左右一対の支受金具２２が左右方向に回動自在に架設されている。
【００１３】
上記バッグ部分２は、その全面（すなわち、略平板状の背面，上面〔蓋面〕，底面、および略半円弧状の左側面〜前面〜右側面）が、ウレタンスポンジを内蔵した生地（材質：コットンジャガード）で作製されており、保冷機能を有している。また、上記バッグ部分２には、その内部に収納した品物（図示せず）が底面から抜け落ちないように、上記バッグ部分２の左側面，底面，右側面にわたってベルト２６が縫い付けられている。このベルト２６の両端部には取り付け金具２７が設けられており（図２および図４参照）、両取り付け金具２７に設けた連結金具２７ａに、長さ調節可能なベルト２８の両端部に設けた取り付け金具２９が着脱自在に取り付けられている。そして、このベルト２８の長さ調節により、バッグ部分２を手提げ用として、もしくは肩掛け用（ショルダー用）として使用できるようにしている。また、図４に示すように、上記バッグ部分２の背面の左右両側部（下側フレーム１１のＵ字状の両縦片１１ａに対応する部分）に一対の帯状体３０が縫い付けられており、その両端部に一対のホック３１（着脱自在な凹部と凸部とからなる係止具）が取り付けられている。そして、上記両ホック３１を利用して、バッグ部分２が下側フレーム１１のＵ字状の両縦片１１ａに固定されている（図９参照）。図４において、２８ａは長さ調節用の金具で、３２はバッグ部分２の上面を開閉するためのジッパーで、３３は縫い目である。
【００１４】
上記リュックサック部分３は、その生地（材質：コットンジャガード）に保冷機能を持たせてはいない。また、上記リュックサック部分３には、その背面上部の左右全幅にわたってベルト３５が縫い付けられており、このベルト３５の左右両側部に把持用ベルト３６の両端部が縫い付けられている。この把持用ベルト３６には、一側の内面と、これに対応する他側の外面とに一対のマジックテープ３７ａ（図１０参照）が設けられたグリップハンドル３７が巻回されており、このグリップハンドル３７を利用して、リュックサック部分３が上側フレーム１２の中間バー１６に固定されている。また、上記リュックサック部分３に縫い付けたベルト３５の左右両側部と上記リュックサック部分３の背面下端部の左右両側部に、長さ調節可能な左右一対の（肩に背負うための）ベルト３８の両端部が縫い付けられている。図５において、３８ａは長さ調節用の金具であり、図２において、３９はジッパーである。
【００１５】
上記の構成において、ショッピングカートを組み立てる場合には、まず、折り畳まれた状態のカート本体１の荷台部分１３を押し下げる（図６参照）。これにより、自動的にスタンド２０が下側に回動し、荷台部分１３を支受する（図７参照）。ついで、荷台部分１３の両支受金具２２を左右に開き、上側フレーム１２を上側に回動させて垂直姿勢にする（図７参照）。つぎに、図８に示すように、止め金１７を下側に回動させて下側フレーム１１のＵ字状の横片１１ｂに係合させる。つぎに、バッグ部分２をカート本体１の荷台部分１３上に載置し、両ホック３１を下側フレーム１１のＵ字状の両縦片１１ａに固定する（図９参照）。そののち、バッグ部分２上にリュックサック部分３を載置し、リュックサック部分３の把持用ベルト３６を上側フレーム１２の中間バー１６にグリップハンドル３７で巻き付け、グリップハンドル３７のマジックテープ３７ａを係合させることにより固定する（図１０参照）。これにより、カート本体１を組み立て、このカート本体１の荷台部分１３にバッグ部分２とリュックサック部分３を載置，固定することができる。
【００１６】
このように、上記実施の形態では、カート本体１の荷台部分１３にバッグ部分２とリュックサック部分３とが載置されており、買った品物をバッグ部分２とリュックサック部分３とに分けて収納することができる。このため、カート本体１からバッグ部分２とリュックサック部分３とを別々に取り外し、リュックサック部分３を背中に背負い、バッグ部分２だけを手等に提げることで、持ち運びが楽になる。また、上記バッグ部分２には、保冷機能があり、冷凍食品等を収納するのに適している。
【００１７】
なお、上記実施の形態では、バッグ部分２にだけ保冷機能を持たせているが、リュックサック部分３にも保冷機能を持たせてよいし、両部分２，３に保冷機能を持たせなくてもよい。また、バッグ部分２とリュックサック部分３をカート本体１に固定する手段としては、各種の固定手段を用いることができるし、両部分２，３をカート本体１に固定しなくてもよい。
【００１８】
【発明の効果】
以上のように、本発明のショッピングカートによれば、荷台部に載置される収納袋がバッグ部分とリュックサック部分の２部品で構成されているため、スーパーマーケット等で買った品物をバッグ部分とリュックサック部分に分けて収納することができる。したがって、荷台部からバッグ部分とリュックサック部分を降ろして運搬等するときに、リュックサック部分を肩に背負って運搬等し、バッグ部分を手等に提げて運搬等することにより、軽くて持ちやすくなる。しかも、スーパーマーケット等で買った品物を区別して収納したい場合には、買った品物をバッグ部分とリュックサック部分に区別して収納することができるため、買った品物を一旦取り出して区別する必要がなく、便利である。なお、本発明で、「バッグ」とは、手に提げるものだけでなく、肩に掛けたり、腰に吊るしたりするものをも指す。
【００１９】
本発明おいて、収納袋の載置が、バッグ部分を下側に、リュックサック部分をその上側に載せ、両部分をそれぞれ係止具を利用しショッピングカートのフレームに固定することにより行われている場合には、収納袋をショッピングカートのフレームにしっかりと載置，固定することができる。
【００２０】
本発明おいて、バッグ部分とリュックサック部分の少なくとも一方が断熱材により保冷機能を有している場合には、上記保冷機能を有している部分に冷凍食品等を収納することにより、冷凍食品等を長時間保冷することができる。
【図面の簡単な説明】
【図１】本発明のショッピングカートの一実施の形態を示す斜視図である。
【図２】バッグ部分上にリュックサック部分を載置する状態を示す斜視図である。
【図３】カート本体の斜視図である。
【図４】バッグ部分の斜視図である。
【図５】リュックサック部分の背面図である。
【図６】ショッピングカートの組み立て要領を示す説明図である。
【図７】ショッピングカートの組み立て要領を示す説明図である。
【図８】ショッピングカートの組み立て要領を示す説明図である。
【図９】ショッピングカートの組み立て要領を示す説明図である。
【図１０】ショッピングカートの組み立て要領を示す説明図である。
【図１１】従来例を示す斜視図である。
【符号の説明】
２  バッグ部分
３  リュックサック部分
１３  荷台部
【図１】
0004368982.tif 000002
【図２】
0004368982.tif 000003
【図３】
0004368982.tif 000004
【図４】
0004368982.tif 000005
【図５】
0004368982.tif 000006
【図６】
0004368982.tif 000007
【図７】
0004368982.tif 000008
【図８】
0004368982.tif 000009
【図９】
0004368982.tif 000010
【図１０】
0004368982.tif 000011
【図１１】
0004368982.tif 000012